(57)【特許請求の範囲】
【請求項１】
縦軸及び横軸と、肌対向面及びこれに対向する非肌対向面と、前ウエスト域と、後ウエスト域と、前記前後ウエスト域間において前記縦軸の方向へ延びるクロッチ域とを有するおむつ本体と、前記前後ウエスト域の両側縁部どうしを互いに連結するファスニングシステムとを含む使い捨て着用物品において、
前記おむつ本体において、前記クロッチ域から前記前後ウエスト域に延びる吸収性コアが配置されており、
前記吸収性コアには、前記前ウエスト域において前記横軸の方向へ延びる凹条溝からなる折曲案内部が形成されており、
前記ファスニングシステムが、前記後ウエスト域の両側縁から前記横軸の方向の外方へ延出する一対のテープファスナタブの前記肌対向面に設けられた第１ファスニング要素と、前記前ウエスト域の前記非肌対向面に位置する第２ファスニング要素とから構成された第１ファスニングシステムと、
前記一対の第１ファスニング要素と前記前ウエスト域の肌対向面に位置する第３ファスニング要素とを有する第２ファスニングシステムとから構成されており、
前記第２ファスニング要素が、前記前ウエスト域の前記非肌対向面においてウエスト開口側に位置し、前記横軸の方向へ延びる下側縁を有しており、
前記折曲案内部が前記第２ファスニング要素の前記下側縁と重なる位置に形成されており、
前記前ウエスト域における前記第２ファスニング要素の前記下側縁から前記縦軸の方向の外方へ延びる部位を前記折曲案内部を介して前記クロッチ域の非肌対向面に向かって外側へ折り曲げることによって、前記第１ファスニング要素を前記第３ファスニング要素に係合することを特徴とする前記着用物品。
【請求項２】
前記クロッチ域における前記吸収性コアに、前記横軸に沿って延びるクロッチ折曲誘導部が形成されている請求項１記載の着用物品。
【請求項３】
前記クロッチ域における前記吸収性コアの前記後ウエスト域側に偏倚した位置に、前記横軸の方向に延びるクロッチ折曲誘導部が形成されている請求項１又は２に記載の着用物品。
【請求項４】
前記クロッチ折曲誘導部が凹条溝である請求項２又は３に記載の着用物品。
【請求項５】
前記吸収性コアが前記折曲案内部において存在していない請求項４に記載の着用物品。
【請求項６】
前記前ウエスト域の前記非肌対向面において、前記折曲案内部に対応する位置に外部から視認可能な折曲案内線が設けられている請求項１〜５のいずれかに記載の着用物品。
【請求項７】
前記第３ファスニング要素が、前記前ウエスト域の前記肌対向面を形成する繊維不織布シートにエンボス加工を施すことによって形成されている請求項１〜６のいずれかに記載の着用物品。
【発明の詳細な説明】
【技術分野】
【０００１】
本発明は、使い捨て着用物品に関し、より詳しくは、主として新生児を対象とする開放型の使い捨ておむつ、使い捨てのトイレット・トレニングパンツ、使い捨て失禁パンツ、使い捨ての生理用パンツ等の開放型の使い捨て着用物品に関する。
【背景技術】
【０００２】
従来、新生児を対象とする使い捨て着用物品は公知である。例えば、特許文献１には、透液性の表面シートと、不透液性の裏面シートと、表裏面シート間に介在された吸収性コアと、ウエスト回り方向へ延びる一対の着用バンドとを含む使い捨ておむつが開示されている。
【先行技術文献】
【特許文献】
【０００３】
【特許文献１】特許３３４３１９９号公報
【発明の概要】
【発明が解決しようとする課題】
【０００４】
特許文献１に開示された使い捨ておむつは、おむつ本体の前端部における所定部位において、吸収性コアが隣接する部位よりも薄くまたは吸収液性コアが存在していないことによって形成された、おむつの横方向へ延びる折曲案内部を有する。
【０００５】
折曲案内部及び着用バンドの上縁部に沿っておむつ本体の前端部を外側に折り返すことによって、着用者である新生児のへそを露出することができ、その腹式呼吸を妨げることはない。また、前記前端部の外面に位置する止着手段によって、該折り返し部位をおむつ本体に固定することができるので、新生児のへそを確実に露出することができる。
【０００６】
しかし、着用バンドによる止着の後に、折曲案内部及び着用バンドの上縁部に沿っておむつ本体の前端部を外側に向かって折り曲げるので、へそが折曲案内部の近傍又はその下方に位置している場合には、着用バンドの止着を外しておむつの位置を調整する必要がある。また、外側に折り曲げられた部位の捲れを防止するために、着用バンドの他に該折曲部位を止着するための手段を要し、止着操作が手間である。さらに、比較的に幅広の着用バンドが着用者のウエスト回りを締め付けるので、着用者の下腹部に圧迫感を与えるおそれがある。
【０００７】
本発明の課題は、従来の発明の改良であって、比較的に簡易な操作により、おむつ本体の前ウエスト域を確実に外側に折り曲げることができるとともに、かかる状態において着用者の身体に確実にフィットさせることのできる使い捨ておむつの提供にある。
【課題を解決するための手段】
【０００８】
前記課題を解決するために、本願の第１及び第２発明が対象とするのは、縦軸及び横軸と、肌対向面及びこれに対向する非肌対向面と、前ウエスト域と、後ウエスト域と、前記前後ウエスト域間において前記縦軸の方向へ延びるクロッチ域とを有するおむつ本体と、前記前後ウエスト域の両側縁部どうしを互いに連結するファスニングシステムとを含む使い捨て着用物品である。
【００１０】
本発明の特徴とするところは、  前記おむつ本体において、前記クロッチ域から前記前後ウエスト域に延びる吸収性コアが配置されており、前記吸収性コアには、前記前ウエスト域において前記横軸の方向へ延びる凹条溝からなる折曲案内部が形成されており、前記ファスニングシステムが、前記後ウエスト域の両側縁から前記横軸の方向の外方へ延出する一対のテープファスナタブの前記肌対向面に設けられた第１ファスニング要素と、前記前ウエスト域の前記非肌対向面に位置する第２ファスニング要素とから構成された第１ファスニングシステムと、前記一対の第１ファスニング要素と前記前ウエスト域の肌対向面に位置する第３ファスニング要素とを有する第２ファスニングシステムとから構成されており、前記第２ファスニング要素が、前記前ウエスト域の前記非肌対向面においてウエスト開口側に位置し、前記横軸の方向へ延びる下側縁を有しており、前記折曲案内部が前記第２ファスニング要素の前記下側縁と重なる位置に形成されており、前記前ウエスト域における前記第２ファスニング要素の前記下側縁から前記縦軸の方向の外方へ延びる部位を前記折曲案内部を介して前記クロッチ域の非肌対向面に向かって外側へ折り曲げることによって、前記第１ファスニング要素を前記第３ファスニング要素に係合することにある。
【００１１】
本発明の他の実施態様の一つとして、前記クロッチ域における前記吸収性コアに、前記横軸に沿って延びるクロッチ折曲誘導部が形成されている。
【００１２】
本発明の他の実施態様の一つとして、前記クロッチ域における前記吸収性コアの前記後ウエスト域側に偏倚した位置に、前記横軸の方向に延びるクロッチ折曲誘導部が形成されている。
【００１３】
本発明の他の実施態様の一つとして、前記クロッチ折曲誘導部が凹条溝である。
【００１４】
本発明の他の実施態様の一つとして、前記吸収性コアが前記折曲案内部において存在していない。
【００１５】
本発明の他の実施態様の一つとして、前記前ウエスト域の前記非肌対向面において、前記第１折曲案内部に対応する位置に外部から視認可能な折曲案内線が設けられている。
【００１６】
本発明の他の実施態様の一つとして、前記第３ファスニング要素が、前記前ウエスト域の肌対向面を形成する繊維不織布シートにエンボス加工を施すことによって形成されている。
【発明の効果】
【００１７】
本発明によれば、前後ウエスト域の両側縁部どうしを連結するためのファスニングシステムが第１及び第２ファスニングシステムから構成されているので、着用者の体の大きさに合わせてそれらを適宜選択して使用することができ、おむつのサイズ調整が容易である。また、第２ファスニングシステムを用いた場合には、前ウエスト域が外側に折り曲げられ、着用者の腹部が比較的に広範囲に締め付けられることはないので、着用者の腹部が圧迫されるおそれはなく、特に、新生児の場合には、その腹式呼吸の妨げとなることはない。
【図面の簡単な説明】
【００１８】
【図１】本発明の第１実施形態における使い捨て着用物品の一例としての使い捨ておむつの斜視図。
【図２】おむつを前後方向に伸展した状態のその内面から見た一部破断展開平面図。
【図３】図１のＩＩＩ−ＩＩＩ線断面図。
【図４】図２のＩＶで示す領域の拡大図。
【図５】図４のＶ−Ｖ線断面図。
【図６】おむつの他の実施態様における斜視図。
【図７】図６のＶＩ−ＶＩ線で示す断面図。
【図８】本発明の第２実施形態のおむつにおける図３と同様の断面図。
【図９】本発明の第３実施形態のおむつにおける図７と同様の断面図。
【図１０】本発明の第３実施形態におけるおむつの着用状態を示す図７と同様の断面図。
【発明を実施するための最良の形態】
【００１９】
図１は、本発明の第１実施形態における使い捨て着用物品の一例としての使い捨ておむつ１０の斜視図、図２は、おむつ１０を前後方向に伸展した状態のその内面から見た一部破断展開平面図、図３は、図１のＩＩＩ−ＩＩＩ線断面図、図４は、図２のＩＶで示す領域の拡大図、図５は、図４のＶ−Ｖ線断面図、図６は、おむつの他の実施態様における斜視図、図７は、図６のＶＩＩ−ＶＩＩ線で示す縦断面図である。
【００２０】
図１〜４に示すとおり、おむつ１０は、縦軸Ｐ及び横軸Ｑを有し、肌対向面側及びそれに対向する非肌対向面側と、前ウエスト域１２と、後ウエスト域１３と、前後ウエスト域１２，１３間に位置するクロッチ域１４を備えるおむつ本体１１と、おむつ本体１１の後ウエスト域１３の両側縁１３ａ，１３ｂから横軸Ｑの方向の外方へ延びる一対のテープファスナタブ１５，１６とを含む。テープファスナタブ１５，１６の肌対向面には、メカニカルファスナのフック群から形成された第１ファスニング要素１７が配置されている。また、前ウエスト域１２の外面には、テープファスナタブ１５，１６の第１ファスニング要素１７を脱離可能に止着するための、横軸Ｑの方向へ延びるメカニカルファスナのループ群から形成された第２ファスニング要素１８がホットメルト接着剤（図示せず）を介して取り付けられている。
【００２１】
おむつ本体１１は、繊維不織布、多孔プラスチックフィルム、それらのラミネートシート等から形成され、肌対向側に位置する透液性のトップシート２０と、おむつ１０の外形をなし、透湿性プラスチックフィルム、繊維不織布、それらのラミネートシート等から形成され、非肌対向面側に位置する不透液性のバックシート２１と、フラップパルプと超吸収性ポリマー粒子との混合等から形成され、トップシート２０とバックシート２１との間に介在された吸収性コア２２とを含む。トップシート２０とバックシート２１とは、吸収性コア２２の周縁部から延出しており、該延出部位における両シート２０，２１のうちの少なくともいずれか一方の内面に塗布されたホットメルト接着剤（図示せず）を介して互いに接合されている。また、吸収性コア２２は、図示していないが、ティッシュペーパ等の拡散シートによって被包されていてもよい。
【００２２】
トップシート２０は、質量が２０〜５０ｇ／ｍ２、好ましくは、３０〜４０ｇ／ｍ２、繊維密度が０．０１〜０．０４ｇ／ｃｍ３、好ましくは、０．０２５〜０．０３５ｇ／ｃｍ３の範囲である、エアスルー繊維不織布やスパンボンド繊維不織布、ポイントボンド不織布などから形成されている。また、バックシート２１は、質量が１５〜４０ｇ／ｍ２、好ましくは、２５〜３５ｇ／ｍ２、繊維密度が０．０６〜０．１ｇ／ｃｍ３、好ましくは、０．０７〜０．０９ｇ／ｃｍ３の範囲である、スパンボンド不織布などから形成されている。
【００２３】
吸収性コア２２には、前ウエスト域１２において横軸Ｑの方向へ延びる折曲案内部２４と、クロッチ域１４において横軸Ｑ上においてそれに沿って延びるクロッチ折曲誘導部２５とが形成されている。折曲案内部２４とクロッチ折曲誘導部２５とは、吸収性コア２２を他の部位に比しておむつ本体１１とフラットに展開した（図２参照）におけるＺ方向（三次元）において薄くすることによって形成された凹条溝である。吸収性コア２２に折曲案内部２４とクロッチ折曲誘導部２５とが形成されていることから、着用時において、クロッチ折曲誘導部２５を介しておむつ１０を前後方向に２つ折りにし易く、また、後記するように、折曲案内部２４を介して前ウエスト域１２を外側に折り曲げることができる。また、クロッチ折曲誘導部２５のほかに、２つ折りの起点となる折り皺が形成されている場合には、該部位が着用者の身体から離間し、排泄物の漏れを誘発する原因ともなるが、クロッチ折曲誘導部２５がおむつ１０を２つ折りにするときの起点にもなるので、かかる事態を避けることができる。図２及び３に示すとおり、折曲案内部２４を形成する吸収性コア２２の両対向縁部２４ａ,２４ｂは曲状であるので、該部位がトップシート２０を介して着用者の肌に当接しても刺激を与えることはない。なお、折曲案内部２４は、前ウエスト域１２の下方に形成されており、すなわち、折曲案内部２４によって前ウエスト域１２全体を外側に折り曲げる位置に形成されているが、前ウエスト域１２の縦軸Ｐの方向における中央部近傍に形成して、前ウエスト域１２の一部のみを外側に折り曲げるようにしてもよい。
【００２４】
折曲案内部２４は、縦軸Ｐの方向において所要寸法の幅を有する凹条溝であって、縦軸Ｐの方向における長さ寸法ｌは、後記の本発明の効果を有するために、１０ｍｍ以上であることが好ましい。折曲案内部２４は、おむつ本体１１の外面に位置する第２ファスニング要素１８の下側縁１８ａと重なる位置に形成されており、おむつ本体１１の外面における折曲案内部２４に対応する部位、すなわち、第２ファスニング要素１８の下側縁１８ａ上及びその近傍には、おむつ１０の外面視において折曲案内部２４の位置を確認することのできる折曲案内線２８が形成されている（図１参照）。折曲案内線２８は、着用者及び着用補助者が折曲案内部２４の位置を容易に視認できるように、第２ファスニング要素１８とは異なる色彩を施すことによって形成してもよいし、テープ片を貼付することによって形成してもよい。
【００２５】
なお、図３に示すとおり、折曲案内部２４とクロッチ折曲誘導部２５とは、吸収性コア２２の肌対向面を凹状にすることによって形成した凹条溝であるが、吸収性コア２２の非肌対向面を凹状にして形成してもよい。また、折曲案内部２４とクロッチ折曲誘導部２５とは、吸収性コア２２の一部を取り除くことによって形成してもよいし、該部位において吸収性コア２２を圧縮変形させることによって形成してもよい。さらに、折曲案内部２４とクロッチ折曲誘導部２５とにおいて、吸収性コア２２の厚さを他の部位と同じ厚さにして、その密度を他の部位に比して低くすることによって形成してもよい。
【００２６】
トップシート２０とバックシート２１との間には、不透液性かつ透湿性のプラスチックフィルムから形成された防漏シート２９が配置されており、両シート２０，２１のうちのいずれか一方の内面に塗布されたホットメルト接着剤（図示せず）を介して固定されている。また、おむつ１０の肌対向面における吸収性コア２２の横軸Ｑの方向の外方には、縦軸Ｐに関して対称の一対のバリアシート３０,３１が取り付けられている。
【００２７】
おむつ本体１１は、縦軸Ｐの方向に対向して横軸Ｑの方向へ延びる前後端部３２，３３と、横軸Ｑの方向に対向して、クロッチ域１４において縦軸Ｐの方向へ延びる両側部３４，３５とをさらに含む。おむつ１０の着用時において、一対のテープファスナタブ１５，１６の第１ファスニング要素１７と前ウエスト域１２の非肌対向面に位置する第２ファスニング要素１８とを係合することによって、前後ウエスト域１２，１３の両側縁部どうしが連結され、ウエスト開口３７及び一対のレッグ開口３８が画成されている（図１参照）。
【００２８】
前後端部３２，３３は、吸収性コア２２の前後端縁から縦軸Ｐの方向の外方へ延出する、トップシート２０と、防漏シート２９と、バックシート２１及びバリアシート３０，３１とが互いに重ね合わされることによって形成されている。また、両側部３４，３５は、吸収性コア２２の両側縁から横軸Ｑの方向の外方へ延出する、トップシート２０と、防漏シート２９と、バックシート２１及びバリアシート３０，３１とが互いに重ね合わされることによって形成されている。また、バックシート２１とバリアシート３０，３１とは、前後ウエスト域１２，１３において、両側部３４，３５を形成するトップシート２０と防漏シート２９との両側縁からさらに横軸Ｑの方向の外方へ延出して互いに重なり合い、前後方側部フラップ３９，４０が形成されている。後方側部フラップ４０を形成するバックシート２１とバリアシート３０，３１との両側縁部間には、一対のテープファスナタブ１５，１６の固定部１５ａ，１６ａが介在されており、両シートの内面に塗布されたホットメルト接着剤（図示せず）を介して固定されている。また、後方側部フラップ４０の側縁（後ウエスト域１３の側縁１３ａ，１３ｂ）から横軸Ｑの方向の外方へ延びるテープファスナタブ１５，１６の自由部１５ｂ，１６ｂの肌対向面には、第１ファスニング要素１７が設けられている。
【００２９】
第１ファスニング要素１７と第２ファスニング要素１８とからなる第１ファスニングシステムにおいて、それが所要の剥離強度を有するものであれば、第１ファスニング要素１７をフック群に替えて接着剤を塗布して形成してもよい。この場合には、第１ファスニング要素１７を保護するために、第１ファスニング要素１７の表面をシリコンを塗布したセパレータで被覆してもよい。
【００３０】
テープファスナタブ１５，１６は、例えば、プラスチックフィルム、繊維不織布、それらのラミネートやクラフト紙等の比較的に剛性及び引張強度の高いシート材料から形成することが好ましい。また、本発明の所要の効果を奏する限りにおいて、テープファスナタブ１５，１６を用いることなく、後方側部フラップ４０に設けられた第１ファスニング要素１７を直接第２ファスニング要素１８に脱離可能に係合してもよい。
【００３１】
図４に示すとおり、前端部３２のトップシート２０の肌対向面には、第１ファスニング要素１７が係止可能であって、エンボス加工されていて縦軸Ｐ及び横軸Ｑに関して斜めに延びる複数本の第１及び第２凹状ライン４３，４４が格子状に交差してなる第３ファスニング要素４５が形成されている。第３ファスニング要素４５は、折曲案内部２４と前ウエスト域１２の両側部３４，３５とに囲まれた領域に位置している。第３ファスニング要素４５は、第１ファスニング要素１７とともに第２ファスニングシステムを構成している。第１及び第２凹状ライン４３，４４の形状、大きさ及び互いの交差角度等は、適宜自由に選択しうるものであるが、本実施形態では、第３ファスニング要素４５を構成する第１凹状ライン４３と第２凹状ライン４４との交差角度は、約９０度であって、第１凹状ライン４３と第２凹状ライン４４とが交差することによって形成される各格子部４７の大きさ（面積）は、約９．０〜１２．０ｍｍ２である。このように、第１及び第２凹状ライン４３，４４によって複数の格子部４７が形成されていることによって、第１ファスニング要素１７をトップシート２０の表面に係止したときに、トップシート２０を形成する繊維の毛羽立ちを抑えることができ、また、エンボス加工された部位には第１ファスニング要素１７が係止され難いので、第２ファスニングシステムの係合強度を適度に調整することが可能である。さらに、エンボス加工がなされていることによって、着用者及び/または操作者が、第３ファスニング要素４５の位置を容易に視認することができる。
【００３２】
図５に示すとおり、トップシート２０は、その表面側において縦方向に延びる複数の凸条５０と、これら凸条５０の間に位置する凹条５１とを有する。トップシート２０を形成する繊維は、全方位的にランダムに配向（３次元方向を含む。）しており、かかる凹凸形状は、トップシート２０を形成する連続繊維ウエブ上に配置されたノズルから気体を噴射したり、ウォータージェット処理、スチームジェット処理、プレス加工またはギア加工によって形成することができる。トップシート２０が凹凸形状を有することによって、第１及び第２凹状ライン４３，４４による第３ファスニング要素がより第１ファスニング要素１７と係合しやすくなるとともに、トップシート２０全体において主として凸条５０が着用者の身体に接触することから、凹条５１では縦軸Ｐの方向に延びる、いわば空気の通気路が形成され、おむつ内の湿気を外部へ放出することができ、通気性に優れている。
【００３３】
また、繊維ウエブの繊維の再配向により凸条５０の密度よりも凹条５１における密度を低くすることもできる。その場合には、凹条５１を介して排泄物が吸収性コア２２に速やかに移動し、トップシート２０の湿潤状態による着用者の不快感を防止することができる。また、噴射する気体量を調整することによって、凹条５１に間欠的な透孔を形成し、該透孔を介して粘性度の高い軟便を速やかに下方へ移動させるようにしてもよい。
【００３４】
トップシート２０は、前記のとおり、その表面側において凹凸形状を有していることから、第１及び第２凹状ライン４３，４４によるエンボス加工が施されていない場合であっても、第１ファスニング要素１７と係合することができ、第３ファスニング要素４５としての機能を果たすことができる。また、本実施例のトップシート２０のように凹凸形状を有する、トップシートとは別体の繊維不織布シートを第３ファスニング要素４５として配置してもよいし、該別体の繊維不織布シートにエンボス加工が施されていてもよい。さらに、凹凸形状を有さず、かつ、エンボス加工が施されていない長繊維からなるスパンボンド繊維不織布などから作られたトップシート２０を第３ファスニング要素４５としてもよい。
【００３５】
再び、図２を参照すれば、バリアシート３０，３１は、両側部３４，３５の一部を形成する近位縁部５４と、前後ウエスト域１２，１３においてトップシート２０及びバックシート２１の肌対向面に固定された前後固定端部５５，５６と、前後固定端部５５，５６間において縦軸Ｐの方向へ延びる、バリアシート３０，３１の内側縁を内方へ折り返すことによって形成された遠位縁部５７とを有する。防漏シート２９の両側縁の横方向Ｘの外方には、縦軸Ｐの方向へ延びる３条のストランド状又はストリング状のレッグ弾性要素５８がバリアシート３０,３１の近位縁部５４とバックシート２１の両側部との間にホットメルト接着剤（図示せず）を介して収縮可能に取り付けられている。また、遠位縁部５７には、縦軸Ｐの方向へ延びる２条のストランド状又はストリング状のカフ弾性要素５９が収縮可能に配設されている。遠位縁部５７は、おむつ１０の着用状態において、カフ弾性要素５９の収縮作用によってトップシート２０の肌対向面から離間し、排泄物の横漏れを防止するための一対の防漏カフが形成される。
【００３６】
図６は、第１実施形態におけるおむつ１０の他の実施態様を示す図、図７は、図６のＶＩＩ−ＶＩＩ線断面図である。
【００３７】
図６に示すとおり、折曲案内部２４に沿って前ウエスト域１２を外側に向かって折り曲げて、前端部３２の肌対向面に形成された第３ファスニング要素４５に第１ファスニング要素１７を係止することによって、前ウエスト域１２をクロッチ域１４の非肌対向面に折り重ねた状態でおむつ１０を着用することができる。この場合には、着用者の腹部が露出するので、着用者が未熟児を含む新生児の場合に、前ウエスト域１２による締め付けによってその腹式呼吸が妨げられることはない。特に、新生児の場合にはへそ及びその周辺が十分に成熟しておらず、前ウエスト域１２によるわずかな締め付けによっても刺激を与えるおそれがあるが、かかる事態を避けることができる。
【００３８】
また、へその下方において、前ウエスト域１２を折曲した後に、第１ファスニング要素１７が第３ファスニング要素４５に係合されているので、たとえ前ウエスト域１２が着用者の腹部に当接していなくとも、下腹部において安定的におむつ１０を着用者の身体に固定させることができるとともに、着用中に前ウエスト域１２の折曲状態が解かれることはない。
【００３９】
さらに、図６，７に示すとおり、第２ファスニングシステムによるおむつ１０の着用状態では、前ウエスト域１２がクロッチ域１４の非肌対向面に向かって折り曲げられるので、後ウエスト域１３及びその後方側部フラップ４０がわずかに斜め前方に引っ張られて、テープファスナタブ１５，１６が第２ファスニング要素１８に対して斜めに取り付けられる。かかる状態では、第１ファスニングシステムによるおむつ１０の着用状態（図３参照）に比してレッグ開口３８が小さくなるので、比較的に身体の小さな新生児の脚回りに対してレッグ開口３８近傍をフィットさせることができ、レッグ開口３８から排泄物が漏れ出るのを防止することができる。
【００４０】
以上のとおり、本発明によれば、着用者の身体の大きさに合わせて第１及び第２ファスニングシステムのいずれかを適宜選択的に使用することができる。具体的には、着用者が通常の乳幼児の場合には、第１ファスニングシステムを用い、乳幼児よりも体の小さな未熟児を含む新生児の場合には、第２ファスニングシステムを用いておむつ１０を着用者の身体にフィットさせることができるので、おむつ１０のサイズ調整が比較的に容易である。
【００４１】
また、既述のとおり、折曲案内部２４の縦軸Ｐの方向の長さ寸法ｌは１０ｍｍ以上であって、所与の幅寸法を有するものであるから、折曲案内部２４及びその近傍が先尖状とならず、緩やかな湾曲状に折れ曲がるので、吸収性コア２２が所要の剛性を有していても、折曲案内部２４からなる前ウエスト域１２の上端縁１２ａが着用者の腹部に食い込むおそれはない。
【００４２】
さらに、前ウエスト域１２が外側に折り曲げられることによって、前ウエスト域１２に位置する吸収性コア２２とクロッチ域１４に位置する吸収性コア２２とがおむつ１０の前後方向において互いに重なり合うので、クロッチ域１４のクッション性が向上するとともに、着用時及び着用中においておむつ１０の位置ずれが生じた際に、前ウエスト域１２とクロッチ域１４とを指で摘んでおむつ１０を引き上げ易くなる。
【００４３】
＜第２実施形態＞
図８は、本発明の第２実施形態を示す図７と同様の縦断面図である。第２実施形態におけるおむつ１０の基本態様は第１実施形態のそれと同様であるので、相違する点についてのみ以下に説明する。
【００４４】
図８に示すとおり、本実施形態では、折曲案内部２４には、吸収性コア２２が存在していない。吸収性コア２２は、前ウエスト域１２に位置する分離部２２Ａと、クロッチ域１４から後ウエスト域１３に延びる本体２２Ｂとに分離されている。このように、吸収性コア２２が２つに分離されていることから、折曲案内部２４による折り曲げがさらに容易になるとともに、クロッチ域１４に位置する吸収性コア２２の本体２２Ｂで吸収された体液のクロッチ域１４の外側に位置する分離部２２Ａへの拡散されることはなく、被服が体液によって汚されるのを抑制することができる。
【００４５】
＜第３実施形態＞
図９は、本発明の第３実施形態を示す図７と同様の縦断面図，図１０は、本発明の第３実施形態におけるおむつ１０の着用状態を示す図７と同様の縦断面図である。第３実施形態におけるおむつ１０の基本的態様は第１実施形態のそれと同様であるので、相違する点についてのみ以下に説明する。
【００４６】
図９に示すとおり、本実施形態では、クロッチ折曲誘導部２５がクロッチ域１４における吸収性コア２２の後ウエスト域１３に偏倚した位置において横軸Ｑの方向へ延びている。かかる態様の場合には、前ウエスト域１２を折曲案内部２４を介して折り曲げた後に、後ウエスト域１４をずり下げて、クロッチ折曲誘導部２５を着用者の股下の中央部と対向する位置に配置させ、クロッチ折曲誘導部２５を介しておむつ１０を前後方向に折り曲げることによって、折曲案内部２４によって折り曲げられた状態の前ウエスト域１２の高さ、すなわち、前ウエスト域１２の上端縁１２ａの位置と、後ウエスト域１３の高さ、すなわち、後ウエスト域の端縁１３ｃの位置とをほぼ平行にすることができる（図１０参照）。このような場合には、前後ウエスト域１２，１３の高さがほぼ同じであって、着用者の腹部が露出した状態となり、該腹部を圧迫することがないとともに、おむつ１０を比較的に身体の小さな着用者（例えば、新生児や未熟児など）のウエスト回り及び／又は下腹部回り全体にフィットさせた状態で着用させることができる。すなわち、前記のとおり、第１ファスニングシステムによる止着状態よりも第２ファスニングシステムによる止着状態におけるおむつ１０のレッグ開口３８は小さく画成されており、必要に応じて第２ファスニングシステムによる止着を行うことによって、乳幼児に比して脚周りが小さな新生児や未熟児などに対してもおむつ１０のレッグ開口縁部をフィットさせることができる。
【００４７】
また、さらに、第２ファスニングシステムによる止着の際に、かかる実施態様のごとく、前後ウエスト域１２，１３の高さをほぼ同じにすることで、おむつ１０のウエスト開口縁部が着用者の胴回りによりフィットするとともに、第２ファスニングシステムを一度外して、レッグ開口３８の縁部を着用者の脚周りにフィットした状態となるように止着し直すことによって、より身体の小さな着用者に対してもジャストフィットした状態で着用させることができる。このように、おむつ１０は、第１ファスニングシステムによって止着された着用状態（第１着用状態）、第２ファスニングシステムにより止着され、かつ、前後ウエスト域１２，１３の高さが相違する着用状態（第２着用状態）、さらには、第２ファスニングシステムによって止着され、かつ、前後ウエスト域１２，１３の高さがほぼ並行である着用状態（第３着用状態）からなる、いわば３つの着用状態を着用者の身体の大きさに合わせ適宜使い分けることによって、容易にサイズ調整ができる。
【００４８】
また、おむつ１０は、通常、２つ折りにされた状態で複数枚が重ねられて包装されているところ、２つ折りにされている部位に、特に、シート部材に比して剛性の高い吸収性コア２０に折り皺が発生する。かかる折り皺が前ウエスト域１２における着用者の排尿器官と対向する位置に配置された場合には、該部位におけるフィット性が低下するとともに、排泄物の漏れを誘発するおそれがある。しかし、図９に示すとおり、クロッチ折曲誘導部２５がクロッチ域１４における吸収性コア２２の後ウエスト域１３に偏倚した位置に形成されていることから、該部位近傍に皺が生じるので、それよりも前方に位置する、２つ折りによる折り皺付近ではおむつ１０と着用者の排尿器官近傍とがフィットした状態となり、排泄物の漏れを生じるおそれはない。
【符号の説明】
【００４９】
１０  使い捨て着用物品
１１  おむつ本体
１２  前ウエスト域
１３  後ウエスト域
１３ａ，１３ｂ  後ウエスト域の両側縁
１４  クロッチ域
１５，１６  テープファスナタブ
１７  第１ファスニング要素
１８  第２ファスニング要素
２２  吸収性コア
２４  折曲案内部
２５  クロッチ折曲誘導部
２８  折曲案内線
４５  第３ファスニング要素
Ｐ    縦軸
Ｑ    横軸
【図１】
0005737873.tif 000002
【図２】
0005737873.tif 000003
【図３】
0005737873.tif 000004
【図４】
0005737873.tif 000005
【図５】
0005737873.tif 000006
【図６】
0005737873.tif 000007
【図７】
0005737873.tif 000008
【図８】
0005737873.tif 000009
【図９】
0005737873.tif 000010
【図１０】
0005737873.tif 000011